(57)【要約】      （修正有）【課題】軽量、薄型、省スペース、柔軟性の特徴により、平らな壁面又は湾曲した壁面などの場合で適用され得、巻かれてから円柱形で紙筒の中に入れることができ、移動に便利な、ホワイトボードシートを提供する。【解決手段】上から下に筆記層１、基材層２及びバックサイズ層３で構成された柔軟な筆記可能な薄手シートであるホワイトボードシートに関する。本考案のホワイトボードシートは、磁性／鉄製基材層を設けることによって、磁性ホワイトボード又は黒板に直接吸着させて使用することができ、あるいは、鉄性基材層を設けることによって、様々な壁面や板面に固定される。また、上記の筆記層、磁性／鉄性基材層、及びバックサイズ層は、互いに接着層４で接着される。【選択図】図２
0003233526.tif 000002
【実用新案登録請求の範囲】
【請求項１】
上から下に筆記層、基材層及びバックサイズ層によって構成された柔軟な筆記可能な薄手シートであることを特徴とするホワイトボードシート。
【請求項２】
前記筆記用薄手シートは、正方形、菱形、円形、楕円形、又は異形を呈する、ことを特徴とする請求項１に記載のホワイトボードシート。
【請求項３】
前記筆記層は、白色又は透明な光沢フィルムであり、このフィルム材料には、ＰＶＣ、ＰＥＴ、ＣＰＰ、ＢＯＰＰ、又はＰＰフィルムが採用され、表面に特別な筆記・消去耐性処理が行われても処理が行われなくてもよい、ことを特徴とする請求項１に記載のホワイトボードシート。
【請求項４】
前記筆記層は、ホワイトボードマーカー及び様々な水性マーカーによる多数回の筆記・消去に耐えられる筆記光沢フィルム層である、ことを特徴とする請求項１、２、３のいずれか一項に記載のホワイトボードシート。
【請求項５】
前記基材層は、磁性基材層であり、磁性粉末入りのゴム・プラスチック材料で作られ、あるいは、前記基材層は、鉄性基材層であり、鉄粉末入りのゴム・プラスチック材料で作られる、ことを特徴とする請求項１に記載のホワイトボードシート。
【請求項６】
前記筆記層、基材層及びバックサイズ層は、互いに接着層で接着される、ことを特徴とする請求項５に記載のホワイトボードシート。
【考案の詳細な説明】
【技術分野】
【０００１】
本考案は、磁性／鉄製基材層を備えたホワイトボードシートに関する。
【背景技術】
【０００２】
現在、職場や公共の場では、通常、ホワイトボードが、掲示板や作業指示板として使用されている。しかしながら、既存のホワイトボードは剛性の板材で作られ、金属又は他の様々な材料のフレームは重いため輸送に不便であり、あるいは、厚く、重く、場所をとり、収縮できないため、移動に不便である。
また、それは、湾曲した壁面で使用することができない。
【考案の概要】
【０００３】
上記技術の欠点を克服するために、本考案の目的は、ホワイトボードシートを提供することである。
【０００４】
本考案のホワイトボードシートは、上から下に筆記層、基材層及びバックサイズ層によって構成された柔軟な筆記可能な薄手シートであることを特徴とする。
【０００５】
上記の筆記用薄手シートは、正方形、菱形、円形、楕円形、又は異形を呈する。
【０００６】
上記の筆記層は、白色又は透明な光沢フィルムである。このフィルム材料には、ＰＶＣ、ＰＥＴ、ＣＰＰ、ＢＯＰＰ、又はＰＰフィルムが採用される。
【０００７】
上記の筆記層は、多数回の筆記と消去に耐えられる筆記光沢フィルム層である。
【０００８】
上記の基材層は、磁性基材層であり、磁性粉末入りのゴム・プラスチック材料で作られる。
【０００９】
上記の基材層は、鉄性基材層であり、鉄粉末入りのゴム・プラスチック材料で作られる。
【００１０】
上記の筆記層、基材層及びバックサイズ層は、互いに接着層で接着される。
【００１１】
上記の筆記用薄手シートのコーナーには、画鋲、ノンマーキング鋲、両面テープ、透明テープが設けられる。
【００１２】
本考案のホワイトボードシートは、磁性基材層を設けることによって、磁性ホワイトボード又は黒板に直接吸着させて使用することができ、あるいは、鉄性基材層を設けることによって、その上に磁石を吸着させて紙などを固定することができるので、それが様々な壁面や板面に固定される。それは軽量、薄型、省スペース、柔軟性の特徴により、平らな壁面又は湾曲した壁面などの場合で適用され得、巻かれてから円柱形で紙筒の中に入れることができ、移動に便利である。
【図面の簡単な説明】
【００１３】
【図１】本考案の正面図である。
【図２】図１のＡ−Ａの断面図である。
【図３】本考案の一実施例の正面図である。
【考案を実施するための形態】
【００１４】
以下、添付図面と実施例を参照しながら本考案を更に説明する。
本考案のホワイトボードシートは、上から下に透明な筆記層１、基材層２及びバックサイズ層３によって構成された柔軟な筆記可能な薄手シートである。上記の基材層は、磁性基材層であり、磁性粉末入りのゴム・プラスチック材料で作られる。あるいは、上記の基材層は、鉄性基材層であり、鉄粉末入りのゴム・プラスチック材料で作られる。
【００１５】
本考案のホワイトボードシートは、磁性基材層を設けることによって、磁性ホワイトボード又は黒板に直接吸着させて使用することができ、あるいは、鉄性基材層を設けることによって、その上に磁石を吸着させて紙などを固定することができるので、それが様々な壁面や板面に固定される。それは軽量、薄型、省スペース、柔軟性の特徴により、平らな壁面又は湾曲した壁面などの場合で適用され得、巻かれてから円柱形で紙筒の中に入れることができ、移動に便利である。
【００１６】
必要に応じて、上記の筆記用薄手シートは、正方形、菱形、円形、又は異形などを呈する。正方形や菱形の筆記用薄手シートの４つのコーナーはＲ面取りされ得る。
【００１７】
当然のことながら、ホワイトボードマーカー及び様々な水性マーカーなどでの筆記を満足することを容易にするために、上記の筆記層は、多数回の筆記・消去に耐えられる筆記光沢フィルム層である。光沢フィルム層は、透明なプラスチックフィルムであり、防湿、防腐、耐久性に優れ、多数回の筆記・消去に耐えられ、軽量であるなどの利点を有する。
【００１８】
上記の磁性／鉄性基材層は、磁性粉末／鉄粉末入りのゴム・プラスチック材料を混ぜて作られる。より具体的には、ゴム・プラスチック磁性材料は、ＣＰＥ、ＮＢＲ粘着剤と磁性粉末／鉄粉末とを複合して形成されるものであり、ゴムの物理的性能を有し、良好な磁気性能を有するとともに、比較的良好な耐熱性と柔軟性を有し、亀裂したり破砕したりしない。
【００１９】
合理的な設計のために、上記の筆記層、磁性／鉄性基材層、及びバックサイズ層は、互いに接着層４で接着される。
【００２０】
このホワイトボードシートが非鉄製面又は磁性面で使用できることを満たすために、上記の磁性基材層の裏面に両面テープ又は転写接着剤などを設けることができる。上記の両面テープ又は転写接着剤層は、基材層の裏面に設けられた局部的なストリップ又は局部的なブロックであり得る。
【００２１】
固定をより堅固にするために、上記の筆記用薄手シートの縁とコーナーに画鋲又はノンマーキング鋲が設けられる。筆記用薄手シートの縁とコーナーに画鋲又はノンマーキング鋲を設けることによって、筆記用薄手シートの密着がより確実になる。あるいは、透明テープ又は様々な布ベースや紙ベースの粘着テープが設けられて一緒に使用される。
【００２２】
上記の説明は、本考案の好ましい実施例に過ぎず、本考案の実用新案登録請求の範囲に従って行われるすべての同等の変更及び修正は、本考案の範囲内にあるものとする。
【図１】
0003233526.tif 000003
【図２】
0003233526.tif 000004
【図３】
0003233526.tif 000005